(57)【要約】【課題】落下中に物理的な接触をすることなく、電極の水平方向への過度の位置ずれを防止することが可能な電極収納装置の提供にある。【解決手段】複数枚の正極１を積み重ねて収納する電極収納機台１１を備えた電極収納装置１０であって、電極収納機台１１の周囲に下降する流れ成分を有する気流を発生する気流発生機１３が設けられ、気流発生機１３は、空気を吹き出す吹出部２４を備え、吹出部２４からの空気の吹き出しにより気流を発生させる。【選択図】  図１
2015210911.tif 000002
【特許請求の範囲】
【請求項１】
複数枚の電極を積み重ねて収納する電極収納機台を備えた電極収納装置であって、
前記電極収納機台の周囲に下降する流れ成分を有する気流を発生する気流発生機が設けられ、
前記気流発生機は、空気を吹き出す吹出部を備え、
前記吹出部からの空気の吹き出しにより、前記気流を発生させることを特徴とする電極収納装置。
【請求項２】
前記気流発生機は前記電極収納機台と一体又は別体に設けられていることを特徴とする請求項１記載の電極収納装置。
【請求項３】
前記電極収納機台は、複数枚の電極を積み重ねて収納する昇降自在な電極収納部を有し、
前記電極収納部は、収納前の電極を吸着把持する吸着把持具の下方に位置して設けられていることを特徴とする請求項２記載の電極収納装置。
【請求項４】
前記吹出部は、前記電極収納機台の全周囲又は周囲の一部に対応する位置に備えられていることを特徴とする請求項１〜３のいずれか一項記載の電極収納装置。
【請求項５】
前記吹出部は下方へ向けて備えられていることを特徴とする請求項１〜４のいずれか一項記載の電極収納装置。
【請求項６】
前記吹出部は、上方から下方へ傾斜する空気の流れが発生するように備えられていることを特徴とする請求項１〜４のいずれか一項記載の電極収納装置。
【請求項７】
前記気流発生機は、前記吹出部から吹き出される空気の流れの方向を変える気流偏向板を備えたことを特徴とする請求項１〜４のいずれか一項記載の電極収納装置。
【発明の詳細な説明】
【技術分野】
【０００１】
この発明は、薄板状の電極を積み重ねて収納する電極収納装置に関する。
【背景技術】
【０００２】
近年、リチウムイオン二次電池は、電子機器の電源だけでなく、ハイブリッド車や電気自動車の電源として採用されている。
リチウムイオン二次電池の電池ケース内には電極体が収容されており、電極体はアルミニウム箔に正極活物質を塗布した正極と、銅箔に負極活物質を塗布した負極と、正極と負極との間に介在されるセパレータとを有している。
電極体としては、例えば、巻回型の電極体と積層型の電極体が存在する。
巻回型の電極体は、長尺状の正極および負極の間にセパレータを介在させた電極シートを巻回することにより形成されている。
一方、積層型の電極体は、多数枚の正極、負極およびセパレータが交互に積層される構造を有する。
【０００３】
積層型の電極体を製作する際には、電極（正極又は負極）の材料である金属箔の両面に活物質層を形成して電極シートを形成し、電極シートを所定のサイズに裁断して、薄板状の電極を得る。
裁断により得られた電極は、電池の製造時に使用されるまでの間は、積み重ねられた状態にて所定の保管場所に一時的に保管される。
例えば、図１０に示す電極収納装置７０を用いて、多数枚の電極７４を積み重ねて保管する場合がある。
電極収納装置７０は、電極７４を積み重ねて収納するための電極収納部７１と、電極収納部７１の外周寄りに垂設した複数の柱７２とを備えている。
柱７２は、電極７４の収納の際、積み重ねられる電極７４の水平方向の位置ずれを許容範囲内に止めるために設けられている。
【０００４】
電極収納装置７０に電極７４を収納する際、裁断された電極７４は、吸着把持具７３によって吸着把持されて電極収納部７１の上方へ移送される。
吸着把持具７３は電極７４の電極収納部７１の上方への移送後に吸着把持を解除し、吸着把持具７３から離される電極７４は、落下して電極収納部７１に載置される。
そして、載置された電極７４上へ別の電極７４が積み重なるようにして収納され、電極収納部７１上の電極７４が所定の枚数に達するまで電極７４の積み重ねが繰り返される。
電極７４上に別の電極７４を収納する際、例えば、電極７４に生じた静電気はその反発力により落下中の電極７４を水平方向へ位置ずれさせ易くするが、電極７４が柱７２と当接することにより電極７４の水平方向の許容範囲以上の過度の位置ずれが規制される。
【０００５】
ところで、電極収納装置に関連する従来技術としては、例えば、特許文献１に開示された波板の積載方法を挙げることができる。
特許文献１には、１枚ずつ搬送される波板を積み上げる波板の積載装置が開示されている。
この波板の積載装置は、波板を順次搬送するベルトコンベアと、複数のブローノズルから成る波板浮上手段と、波板の側面位置や前後位置を揃えるための波板整列手段と、ストッパを有するテーブルリフタとを有している。
【０００６】
この波板の積載装置は、ベルトコンベアの上に、その搬送方向と直角方向に波形断面を配置した波板の先端がベルトコンベアから離れた時点で、波板の裏面中央側に臨むブローノズルと波板両側面のブローノズルからエアーを吹き付けて浮かして波板を搬送する。
さらに、波板の積載装置は、テーブルリフタ上の製品パレットの両側上部の複数のブローノズルからエアーを吹き付けて浮かして波板を送り、波板がストッパに衝突した時点で、ブローエア量を絞って失速させて集積波板の最上面に着地させて積載する。
この波板の積載装置によれば、波板の積載工程において、滑りが悪く、長くて送り辛い波板に対してエアーを使って円滑に搬送することで積みズレを防ぐことができるとしている。
【先行技術文献】
【特許文献】
【０００７】
【特許文献１】特開平１０−１６７４７８号公報
【発明の概要】
【発明が解決しようとする課題】
【０００８】
しかしながら、図１０に示す電極収納装置によれば、吸着把持具による電極の吸着が解除されて電極が落下するとき、電極の端部が柱と接触する場合がある。
電極の端部が柱に接触すると、電極の端部から金属箔や活物質が粉状に剥離するおそれがあり、剥離した粉状の金属箔や活物質は異物として電極に付着するという問題がある。
電極に残る異物は、例えば、電池の内部短絡を招く原因となる。
【０００９】
一方、特許文献に開示された波板の積載装置は、下方から上方へエアーを波板に吹き付けて波板の姿勢を制御するものの、波板はストッパや波板整列手段に当接することが予定されている。
このため、特許文献１に開示された波板の積載装置を電極収納装置に転用したとしても、電極から金属箔や活物質が粉状に剥離し、剥離した粉状の金属箔や活物質が異物として電極に付着するという問題は依然として残る。
【００１０】
本発明は上記の問題点に鑑みてなされたもので、本発明の目的は、落下中に物理的な接触をすることなく、電極の水平方向への過度の位置ずれを防止することが可能な電極収納装置の提供にある。
【課題を解決するための手段】
【００１１】
上記の課題を解決するために、本発明は、複数枚の電極を積み重ねて収納する電極収納機台を備えた電極収納装置であって、前記電極収納機台の周囲に下降する流れ成分を有する気流を発生する気流発生機が設けられ、前記気流発生機は、空気を吹き出す吹出部を備え、前記吹出部からの空気の吹き出しにより、前記気流を発生させることを特徴とする。
【００１２】
本発明では、気流発生機の吹出部から空気が吹き出されることにより、電極収納機台の周囲に下降する流れ成分を有する気流を発生する。
このため、電極収納機台の上方から収納前の電極を落下させると、電極は落下中に水平方向に過度に位置ずれする可能性があるが、電極収納機台の周囲の気流が電極の過度の位置ずれを妨げる。
従って、電極は、落下中において物理的な接触を受けることなく、電極収納機台の周囲の気流によって水平方向への過度の位置ずれが防止され、電極収納機台に載置されて収容される。
その結果、電極から金属箔や活物質が剥離し、剥離した金属箔や活物質が異物として電極に付着することがなく、電池への異物混入を防止することができる。
【００１３】
また、上記の電極収納装置において、前記気流発生機は前記電極収納機台と一体又は別体に設けられている構成としてもよい。
気流発生機が電極収納機台と一体に設けられている場合は、電極収納機台に対する吹出部の位置は決まっており、気流の位置を調整する必要がない。
気流発生機が電極収納機台と別体に設けられている場合は、気流発生機を移動させる必要がなく、電極収納機台を電極と共に別の場所に移動させ易い。
【００１４】
また、上記の電極収納装置において、前記電極収納機台は、複数枚の電極を積み重ねて収納する昇降自在な電極収納部を有し、前記電極収納部は、収納前の電極を吸着把持する吸着把持具の下方に位置して設けられている構成としてもよい。
この場合、電極収納部に収納された電極の高さに応じて、収納前の電極を把持する吸着把持具と電極収納部との間の距離を変更することができる。
このため、吸着把持具と電極収納部との間の距離を、落下する電極が裏返ることのない距離に設定することができ、より電極を収納し易くすることができる。
【００１５】
また、上記の電極収納装置において、前記吹出部は、前記電極収納機台の全周囲又は周囲の一部に対応する位置に備えられている構成としてもよい。
吹出部が電極収納機台の全周囲に対応する位置に備えられる場合は、電極収納機台の全周囲を囲む気流によって水平方向への過度の位置ずれをより確実に防止することができる。
吹出部が電極収納機台の周囲の一部に対応する位置に備えられる場合は、気流発生機による気流の流量を抑制することができ、気流発生に必要なエネルギーを低減することができる。
【００１６】
また、上記の電極収納装置において、前記吹出部は下方へ向けて備えられている構成としてもよい。
この場合、吹出部から吹き出される空気の流れが下降流となり、電極の水平方向への過度の位置ずれを確実に防止することができる。
【００１７】
また、上記の電極収納装置において、前記吹出部は、上方から下方へ傾斜する空気の流れが発生するように備えられている構成としてもよい。
この場合、吹出部を収納前の電極から離れた位置に設けることも可能となり、電極と気流発生機との接触を発生させ難くすることができる。
【００１８】
また、上記の電極収納装置において、前記気流発生機は、前記吹出部から吹き出される空気の流れの方向を変える気流偏向板を備えた構成としてもよい。
この場合、吹出部から吹き出す空気の流れが下降する方向でなくても、気流偏向板により気流の向きを変えることができる。
また、吹出部を収納前の電極から離れた位置に設けることが可能となり、電極と気流発生機との接触を発生させ難くすることができる。
【発明の効果】
【００１９】
本発明によれば、落下中に物理的な接触をすることなく、電極の水平方向への過度の位置ずれを防止することが可能な電極収納装置を提供することができる。
【図面の簡単な説明】
【００２０】
【図１】第１の実施形態に係る電極収納装置を示す斜視図である。
【図２】第１の実施形態に係る電極収納装置を示す正面図である。
【図３】第１の実施形態に係る電極収納装置を示す平面図である。
【図４】第１の実施形態に係る電極収納装置の要部を示す要部正面図である。
【図５】（ａ）は電極の収容前の状態の電極収納装置の要部を示す要部正面図であり、（ｂ）は多数枚の電極が収容された状態の電極収納装置の要部を示す要部正面図である。
【図６】第２の実施形態に係る電極収納装置を示す正面図である。
【図７】第３の実施形態に係る電極収納装置を示す斜視図である。
【図８】第４の実施形態に係る電極収納装置の要部を示す要部正面図である。
【図９】第５の実施形態に係る電極収納装置の要部を示す要部正面図である。
【図１０】従来の電極収納装置を示す正面図である。
【発明を実施するための形態】
【００２１】
（第１の実施形態）
以下、第１の実施形態に係る電極収納装置について図面を参照して説明する。
本実施形態の電極収納装置は、予め設定された枚数の電極を収納するための装置である。
収納対象である電極は、リチウムイオン二次電池の電極体に用いられる正極および負極である。
電極体は、正極と、負極と、正極と負極との間に介在されるセパレータとを備えており、積層型の電極体は、多数枚の正極、負極およびセパレータが交互に積層された構造を有している。
正極は、アルミニウム箔に正極活物質層を形成した正極シートを裁断することにより得られ、負極は、銅箔に負極活物質層を形成した負極シートを裁断することにより得られる。
【００２２】
図１に示すように、本実施形態の正極１の形状は、長辺２および短辺３を有する長方形であり、一方の長辺２には集電タブ４が形成されている。
負極は図示しないが正極１と同一の形状を有する。
正極１および負極の形状は互いにほぼ同一であるから、本実施形態では、正極１を収納する電極収納装置１０の例について説明する。
【００２３】
図１に示すように、本実施形態の電極収納装置１０は、裁断後の正極１を予め設定された枚数だけ積み重ねて収納する電極収納機台１１と、電極収納機台１１と一体に設けた気流発生機１３を備えている。
図２に示すように、電極収納機台１１は、車輪１２を備えた機台本体１４を備えており、移動自在である。
電極収納機台１１は、複数枚の正極１が積み重ねて収納される電極収納部１５を備えている。
電極収納部１５の上面には、収納される正極１を受承する受承面１６が形成されており、受承面１６の形状は正極１の長辺２および短辺３に対応する長方形である。
【００２４】
図２に示すように、電極収納部１５は、機台本体１４に設けられた昇降機構１７と連結されており、昇降機構１７の作動により機台本体１４に対して昇降自在である。
本実施形態の昇降機構１７はテレスコピック機構であり、機台本体１４に設けた駆動源である電動モータ（図示せず）の作動により電極収納部１５を昇降する。
従って、電極収納部１５が昇降することにより、収納前の正極１と収納先の正極１又は受承面１６との距離が一定に保たれるように、受承面１６の高さは調整される。
例えば、電極収納部１５に既に収納されている正極１の数が多い場合には、電極収納部１５を下降させる。
また、電極収納部１５に既に収納されている正極１の数が少ない場合には、電極収納部１５を上昇させ、収納前の正極１と収納先の正極１又は受承面１６との距離が一定に保たれる。
【００２５】
機台本体１４の上面には複数の柱１８が立設されている。
複数の２１柱は、電極収納部１５の周囲において、電極収納部１５と各柱１８との距離が互いに同じになるように配置されている。
複数の柱１８は、電極収納部１５に対する正極１の水平方向の位置ずれの最大許容範囲を設定する。
つまり、柱１８は、電極収納部１５が収納される際に、正極１の水平方向への過度の位置ずれを規制する。
正極１が水平方向への位置ずれが無く電極収納部１５に収容された場合、電極収納部１５に収納された正極１と各柱１８との間の距離は互いに同じとなる。
柱１８の高さは、電極収納部１５に収納される最大収納数の正極１の高さより高く設定されている。
なお、各柱１８には、受承面１６又は収納済みの最上位の正極１の上面を検出する非接触式センサ（図示せず）が設けられている。
【００２６】
ところで、電極収納装置１０の上方には、収納前の正極１を把持する吸着把持具２０が設けられている。
吸着把持具２０は複数の吸着パッド２１を備えており、吸着パッド２１は空気配管を介して負圧吸引源（図示せず）と接続されている。
従って、負圧吸引源の作動により吸着パッド２１に負圧吸引力が発生する。
本実施形態の吸着把持具２０は、裁断工程から搬送される正極１を負圧吸引力により吸着把持して電極収納装置１０へ移載する移載手段であり、水平方向へ移動自在であるとともに昇降自在である。
本実施形態では、電極収納装置１０と正極１を搬送する搬送装置（図示せず）との間を往復移動する。
吸着把持具２０は、搬送装置において裁断済みの正極１を吸着把持し、正極１を把持した状態にて電極収納部１５の上方へ移動し、電極収納部１５の上方にて吸着把持を解除する動作を行う。
【００２７】
次に、気流発生機１３について説明する。
気流発生機１３は、電極収納部１５に周囲に配設された複数の柱１８と電極収納部１５との間に下降する気流を発生させるために設けられている。
気流発生機１３は、機台本体１４上の４箇所に上方へ向けて設置した柱状の垂直ダクト部２２と、垂直ダクト部２２の上端部に連結された上部ダクト部２３とを備えている。
垂直ダクト部２２は、機台本体１４の外周縁寄りに設置され上部ダクト部２３を支持する機能を備えている。
垂直ダクト部２２は、機台本体１４の内部に設けられたブロア（図示せず）と接続されている。
ブロアは垂直ダクト部２２へ空気を圧送するが、空気の圧力および流量はブロアにより調整可能である。
【００２８】
図２に示すように、上部ダクト部２３は、上下方向において柱１８の上端と吸着把持具２０との間に位置するように垂直ダクト部２２に支持されており、上部ダクト部２３にはそれぞれの垂直ダクト部２２から圧送される空気が通される。
図１、図３に示すように、上部ダクト部２３は、正極１の外周形状を倣うように環状に形成されている。
上部ダクト部２３は、基本的には、正極１の長辺２および短辺３に対応するように形成されているが、正極１の集電タブ４との干渉を回避するように形成された突出部２５を備えている。
上部ダクト部２３の中央に形成される空間部Ｓは、正極１が水平状態で通過可能な大きさに設定されている。
【００２９】
図２、図４に示すように、上部ダクト部２３の下面は開口されており、空気を吹き出す吹出部２４が形成されている。
吹出部２４は、突出部２５を除き、電極収納部１５の周囲であって、電極収納部１５の長辺および短辺から外側へ一定の距離となる領域と対向する位置にある。
従って、上部ダクト部２３は、吹出部２４から空気の吹き出しにより、上部ダクト部２３と電極収納部１５の周囲の領域との間に下降する気流によるエアカーテンを形成する。
電極収納部１５の周囲に形成されるエアカーテンは、吸着把持具２０から落下する正極１の水平方向の位置ずれを規制する。
なお、エアカーテンにおける気流の圧力は、正極１の水平方向への過度の位置ずれを防止できるとともに、落下する正極１が電極収納部１５や既に収容されている正極１と衝突しない圧力に設定されている。
また、垂直ダクト部２２および上部ダクト部２３は、吹出部２４にわたって空気がほぼ均等に吹き出されるように構成されている。
【００３０】
次に、本実施形態の電極収納装置１０への正極１の収納について説明する。
電極収納装置１０では、上部ダクト部２３の吹出部２４から空気が吹き出されて、上部ダクト部２３と電極収納部１５の周囲の領域との間には下降する気流によるエアカーテンが形成される。
吸着把持具２０が、搬送装置により搬送された裁断済みの正極１を吸着把持し、正極１を把持した状態にて電極収納装置１０の上方へ移動する。
図２、図４に示すように、電極収納装置１０の上方へ移動した吸着把持具２０は、次に、上部ダクト部２３の空間部Ｓを下降し、空間部Ｓを通過する手前にて下降を停止する。
吸着把持具２０は下降停止後に正極１の吸着把持を解除する。
【００３１】
吸着把持を解除された正極１は、電極収納部１５へ向けて落下する。
正極１は落下中に水平方向に過度に位置ずれする可能性があるが、落下する正極１の周囲には、下降する気流によるエアカーテンが形成されているため、落下する正極１がエアカーテンを越えることはなく、正極１の水平方向への位置ずれが規制される。
つまり、電極収納部１５の周囲のエアカーテンが正極１の水平方向への過度の位置ずれを妨げる。
従って、正極１は物理的な接触を受けることなく、エアカーテンによって水平方向への過度の位置ずれが防止され、電極収納部１５に対して位置決めされて収納される。
図４では、落下する正極１の位置ずれの最大許容範囲を一点鎖線Ｌにより示し、落下する正極１は一点鎖線Ｌを超えて柱１８側へ位置ずれすることはない。
なお、落下中の正極１が気流を受けることにより、正極１の落下が自然落下と比べて促進され、正極１の落下時間が短縮される。
収納された正極１上には別の正極１が積み重ねられて収納され、正極１の積み重ねを繰り返すことにより、電極収納部１５には多数の正極１が積み重ねられた状態にて収納される。
【００３２】
ところで、本実施形態では、昇降機構１７により受承面１６の高さが調整される。
非接触式センサ（図示せず）が受承面１６又は収納済みの最上位の正極１の上面を検出し、昇降機構１７は非接触式センサの信号に基づいて昇降される。
例えば、図５（ａ）に示すように、正極１の収納先が受承面１６である場合には、受承面１６を高くして吸着把持具２０と受承面１６との間を所定の距離に設定する。
一方、図５（ｂ）に示すように、受承面１６に既に多数の正極１が積み重ねられて収納されている場合には、積み重ねられている正極１の最上部の正極１と吸着把持具２０との間を所定の距離に設定する。
本実施形態では、正極１の収納先と吸着把持具２０との間の距離は、落下する正極１が裏返ることのない距離に設定されている。
正極１の収納枚数が予め設定した設定枚数に達すると、電極収納装置１０の作動を停止し、電極体を組み立てる電極体組立位置（図示せず）へ電極収納装置１０を移動させる。
【００３３】
本実施形態の電極収納装置１０は、以下の作用効果を奏する。
（１）気流発生機１３の吹出部２４から空気が吹き出されることにより、電極収納部１５の周囲に下降する気流を発生する。このため、電極収納部１５の上方から収納前の正極１を落下させると、正極１は落下中に水平方向に過度に位置ずれする可能性があるが、電極収納部１５の周囲のエアカーテンが正極１の水平方向への過度の位置ずれを妨げる。従って、正極１は落下中において物理的な接触を受けることなく、エアカーテンによって水平方向への過度の位置ずれが防止され、電極収納部１５（又は電極収納部１５に収納済の正極１）上に載置されて収納される。その結果、正極１から粉状の金属箔や活物質が剥離し、剥離した粉状の金属箔や活物質が異物として正極１に付着することがなく、電池への異物混入を防止することができる。
【００３４】
（２）昇降機構１７は、電極収納部１５に積み重ねて収納された多数枚の正極１の高さに応じて、収納前の正極１を把持する吸着把持具２０と電極収納部１５との間の距離を変更することができる。このため、吸着把持具２０と電極収納部１５との間の距離を、落下する正極１が裏返ることのない距離に設定することができ、より正極１を収納し易くすることができる。
【００３５】
（３）吹出部２４が電極収納部１５の全周囲に対応する位置に備えられているから、電極収納部１５の全周囲を囲むエアカーテンによって正極１の水平方向への過度の位置ずれをより確実に防止することができる。
【００３６】
（４）吹出部２４は下方へ向けて備えられているため、吹出部２４から吹き出される空気の流れが下降流となり、下降流によるエアカーテンが形成される。従って、下降流によるエアカーテンにより正極１の水平方向への位置ずれを確実に防止することができる。
【００３７】
（５）気流発生機１３が電極収納機台１１と一体に設けられているため、電極収納部１５に対する吹出部２４の位置は決まっており、エアカーテンの位置を調整する必要がない。
【００３８】
（第２の実施形態）
次に、第２の実施形態に係る電極収納装置について説明する。
本実施形態の電極収納装置は、電極収納機台と別体となる気流発生機を備える点で、第１の実施形態と異なる。
第１の実施形態と同じ構成については第１の実施形態の説明を援用し、共通の符号を用いる。
【００３９】
図６に示すように、本実施形態の電極収納装置３０は、電極収納機台３１と、床面に固定して設置され、電極収納機台３１と別体に設けた気流発生機３２を備える。
電極収納機台３１は、気流発生機３２と別に設けられる他は、第１の実施形態の電極収納機台３１と同じ構成であり、機台本体１４、電極収納部１５、昇降機構１７および複数の柱１８を備えている。
気流発生機３２は、床面上の４箇所に上方へ向けて設置した柱状の垂直ダクト部３３と、垂直ダクト部３３の上端部に連結された上部ダクト部２３とを備えている。
垂直ダクト部３３の間は、電極収納機台３１が通過できる距離に設定されている。
垂直ダクト部３３はブロア（図示せず）と接続されており、ブロアは垂直ダクト部３３へ空気を圧送する。
【００４０】
上部ダクト部２３は、第１の実施形態の上部ダクト部２３と同じ構成であり、上部ダクト部２３の下面には吹出部２４が形成されている。
本実施形態では、電極収納機台３１が気流発生機３２の下方へ位置することにより、上部ダクト部２３と電極収納部１５の周囲の領域との間に、下降する気流によるエアカーテンの形成が可能となる。
なお、電極収納装置３０の上方には、収納前の正極１を把持する吸着把持具２０が設けられている。
【００４１】
本実施形態の電極収納装置３０によれば、第１の実施形態の作用効果（１）〜（４）と同等の作用効果を奏する。
また、本実施形態の電極収納装置３０によれば、電極収納機台３１が気流発生機３２と別に設けられるから、第１の実施形態と比較すると、気流発生機３２を移動させる必要がなく、電極収納機台３１を正極１と共に別の場所に移動させ易い。
【００４２】
（第３の実施形態）
次に、第３の実施形態に係る電極収納装置について説明する。
本実施形態は、気流発生機が電極収納部の外周の一部について下降する気流を形成する構成である点で、第１の実施形態と異なる。
第１の実施形態と同じ構成については第１の実施形態の説明を援用し、共通の符号を用いる。
【００４３】
図７に示すように、本実施形態の電極収納装置４０は、電極収納機台１１と、電極収納機台１１と一体に設けた気流発生機４１を備える。
気流発生機４１は、４本の垂直ダクト部２２と、平面視略コ字状の一対の上部ダクト部４２とを備えている。
上部ダクト部４２は２本の垂直ダクト部２２により支持されている。
一対の上部ダクト部４２は、電極収納部１５の短辺と、電極収納部１５の短辺と長辺によるコーナーと、電極収納部１５の長辺の一部との周囲の領域と対向するように形成されている。
上部ダクト部４２の下面には、吹出部４３が形成されており、吹出部４３から空気が吹き出され、下降する気流によるエアカーテンが電極収納部１５の外周の一部に形成される。
【００４４】
本実施形態によれば、電極収納部１５の短辺と、電極収納部１５の短辺と長辺によるコーナーと、電極収納部１５の長辺の一部との周囲の領域にエアカーテンが形成され、電極収納部１５の周囲の気流が正極１の水平方向への過度の位置ずれを妨げる。
従って、正極１は落下中に物理的な接触を受けることなく、気流によって水平方向への過度の位置ずれが防止され、電極収納部１５に載置されて収容される。
また、エアカーテンの範囲が、第１の実施形態と比較して低減するため、気流発生機４１による気流の流量を抑制でき、ブロアの動力を低減することができる。
【００４５】
（第４の実施形態）
次に、第４の実施形態の電極収納装置について説明する。
本実施形態は、気流発生機に置ける吹出部の構成が、第１の実施形態と異なる。
第１の実施形態と同じ構成については第１の実施形態の説明を援用し、共通の符号を用いる。
【００４６】
図８に示すように、本実施形態の電極収納装置５０は、電極収納機台１１と、電極収納機台１１と一体に設けた気流発生機１３を備える。
気流発生機１３は、４本の垂直ダクト部２２と、垂直ダクト部２２の上端部に連結された上部ダクト部２３とを備えている。
上部ダクト部２３の下面には、開口された吹出部５１が形成されている。
吹出部５１は、吹出部５１から電極収納部１５の外周へ向けて斜め下方へ向けて空気を吹き出すように形成されている。
つまり、吹出部５１からの空気の流れは電極収納部１５の外周へ向けて上方から下方へ傾斜している。
従って、吹出部５１から形成されるエアカーテンにおける空気の流れは、鉛直方向の流れ成分と水平方向の流れ成分を含むが、水平方向の流れ成分よりも鉛直方向の流れ成分を大きくなるように、鉛直方向に対する吹き出しの角度が設定されている。
吹出部５１からの空気の流れの傾斜角度（吹き出し角度）は、水平に対して４５°以上が好ましい。
【００４７】
本実施形態の電極収納装置５０によれば、第１の実施形態の作用効果（１）〜（３）、（５）と同等の作用効果を奏する。
また、吹出部５１からにより形成されるエアカーテンは、上方から下方へ向けて傾斜するともに上方から下方へ向かうにつれて電極収納部１５に接近する。
従って、落下する正極１は鉛直方向および水平方向において電極収納部１５へ向かうことができる。
また、落下中の正極１が気流を受け易くなり、第１の実施形態と比較して、正極１の落下がさらに促進され、正極１の落下時間を短縮することができる。
さらに、吹出部５１の水平方向の位置は、第１の実施形態の吹出部２４と比較して、電極収納部１５と離れた位置となるため、上部ダクト部２３の空間部Ｓが大きく設定され、正極１が上部ダクト部２３と接触し難くなる。
【００４８】
（第５の実施形態）
次に、第５の実施形態の電極収納装置について説明する。
本実施形態は、気流発生機に置ける吹出部の構成が、第１の実施形態と異なる。
第１の実施形態と同じ構成については第１の実施形態の説明を援用し、共通の符号を用いる。
【００４９】
図９に示すように、本実施形態の電極収納装置６０は、電極収納機台１１と、電極収納機台１１と一体に設けた気流発生機１３を備える。
気流発生機１３は、４本の垂直ダクト部２２と、垂直ダクト部２２の上端部に連結された上部ダクト部２３とを備えている。
上部ダクト部２３の側面には、水平方向へ空気を吹き出すように開口された吹出部６１が形成されている。
垂直ダクト部２２および上部ダクト部２３は、吹出部６１にわたって空気がほぼ均等に吹き出されるように構成されている。
【００５０】
吹出部６１と対向する位置に、吹出部６１から吹き出される空気の流れの方向を変える気流偏向板６２が備えられている。
気流偏向板６２は図示されない取付部材を介して上部ダクト部２３に固定されている。
本実施形態の気流偏向板６２の形状は翼形状であり、断面形状は略涙滴形である。
気流偏向板６２は、水平方向の空気の流れを下降する方向へ偏向させる。
本実施形態では、吹出部６１から水平方向に吹き出される空気の流れが気流偏向板６２により下降する流れに偏向され、下降する流れによるエアカーテンが電極収納部１５の周囲に形成される。
なお、気流偏向板６２の周囲においてストールしないように、空気の流速や気流偏向板６２の形状や角度が設定されている。
【００５１】
本実施形態の電極収納装置６０によれば、第１の実施形態の作用効果（１）〜（５）と同等の作用効果を奏する。
また、本実施形態によれば、吹出部６１から吹き出す空気の流れが下降する方向でなくても、気流偏向板６２により気流の向きを変えることができ、電極収納部１５の周囲に下降する流れのエアカーテンを形成することができる。
また、吹出部６１を収納される正極１から離れた位置に設けることができ、収納される正極１が上部ダクト部２３と接触し難くなる。
さらに、気流偏向板６２の周囲に空気の流れが形成されるため、落下する正極１は気流偏向板６２と接触し難い。
【００５２】
本発明は、上記の実施形態に限定されるものではなく発明の趣旨の範囲内で種々の変更が可能であり、例えば、次のように変更してもよい。
【００５３】
○  上記の実施形態では、電極収納機台の電極収納部の全周囲に対応する位置にエアカーテンが形成され、電極収納部の周囲の一部に対応する位置として、電極収納部の短辺やコーナーに対応する位置にエアカーテンが形成されるとしたがこの限りではない。例えば、電極収納部と柱との間に対応する位置にのみエアカーテンを形成してもよい。この場合も電極の位置ずれ防止は確実である。
○  上記の実施形態では、昇降機構としてテレスコピック機構を用いたが、昇降機構の形式は特に限定されない。昇降機構は、例えば、アーム式の昇降機構を用いてもよく、電極収納部を昇降することが可能な機構であれば特に制限されない。
○  上記の実施形態では、電極収納部は昇降するとしたが、電極収納部の昇降は必須ではない。例えば、昇降されない電極収納部が電極収納機台に設けられてもよい。
○  上記の実施形態では、非水電解液二次電池としてのリチウムイオン二次電池を例示したが、リチウムイオン二次電池に限らず、積層型の電極体を備える電池であれば特に電池の種類は問わない。
○  第１の実施形態では、上部ダクト部において集電タブとの干渉を回避するため突出部を形成したが、上部ダクト部に突出部を設けなくてもよい。
○  第５の実施形態では、水平方向の空気の流れを下降する流れに偏向させるとしたが、偏向される前の空気の流れは水平方向に限らない。例えば、下方へ向けて傾斜する空気の流れを形成する吹出部とし、気流偏向板によって、下方へ向けて傾斜する空気の流れを鉛直下方へ向かう空気の流れに偏向するようにしてもよい。
【符号の説明】
【００５４】
１  正極（電極としての）
１０、３０、４０、５０、６０、７０  電極収納装置
１１、３１、  電極収納機台
１３、３２、４１  気流発生機
１４  機台本体
１５  電極収納部
１７  昇降機構
１８  柱
２０  吸着把持具
２１  吸着パッド
２２、３３  垂直ダクト部
２３、４２  上部ダクト部
２４、４３、５１、６１  吹出部
６２  気流偏向板
Ｓ  空間部
【図１】
2015210911.tif 000003
【図２】
2015210911.tif 000004
【図３】
2015210911.tif 000005
【図４】
2015210911.tif 000006
【図５】
2015210911.tif 000007
【図６】
2015210911.tif 000008
【図７】
2015210911.tif 000009
【図８】
2015210911.tif 000010
【図９】
2015210911.tif 000011
【図１０】
2015210911.tif 000012